(57)【要約】【課題】遠方からの視認性に優れるとともに、非点灯時における見栄えのよい車両用灯具の提供。【解決手段】前面カバー１１内側の光源４４を覆う位置に、前面側または／および裏面側の全域にわたって凹部（断面くさび型のスリット）１０２が形成されて凹部１０２を介して入射した光または／および凹部１０２で反射した光を光源４４から離れた領域に導く導光作用を営むインナーレンズ１００を配置することで、前面カバー１１の中央部と周縁部における発光量の格差が減じ、前面カバー１１の周縁部までが明るく発光するので、点灯時における灯具の遠方からの視認性が向上する。また、インナーレンズ１００に設けた凹部１０２がつくる模様によって灯室内がそのまま透けて見える状態が回避されて、非点灯時における灯具の見栄えが向上する。【選択図】　図４
2004071351.tif 000002
【特許請求の範囲】
【請求項１】
容器状のランプボディと前面カバーで画成された灯室内にリフレクターと光源を配置した車両用灯具において、前記前面カバー内側の前記光源を覆う位置に、前面側または／および裏面側の全域にわたって凹部が形成されて前記凹部を介して入射した光または／および前記凹部で反射した光を前記光源から離れた領域に導く導光作用を営むインナーレンズが配置されたことを特徴とする車両用灯具。
【請求項２】
前記前面カバーおよびインナーレンズは無色透明で、クリアランスランプを構成することを特徴とする請求項１に記載の車両用灯具。
【請求項３】
前記灯室内には、前記リフレクターと光源によって構成された標識灯用の灯体と、リフレクターと光源とを備えたすれ違いビーム形成用の灯体と、リフレクターと光源とを備えた走行ビーム形成用の灯体とが一体に収容されるとともに、前記すれ違いビーム形成用の灯体に対応する一部の領域を除いた前記インナーレンズのほぼ全域に前記凹部が形成されたことを特徴とする請求項１または２に記載の車両用灯具。
【請求項４】
前記凹部は上下方向に延びる縦溝で、左右方向ほぼ等間隔に設けられたことを特徴とする請求項１〜３のいずれかに記載の車両用灯具。
【発明の詳細な説明】
【０００１】
本発明は、ランプボディと前面カバーで画成した灯室内に光源とリフレクターとを配置した車両用灯具に係り、特に、前面カバーを通して灯室内が透けて見える車両用灯具に関する。
【０００２】
【従来の技術】
クリアランスランプのような標識灯では、容器状のランプボディとその前面開口部に組み付けた前面カバーで画成された灯室内に、光源とリフレクターが配置された構造で、光源直射光やリフレクターで反射された光が前面カバーを透過することで発光する。
【０００３】
【発明が解決しようとする課題】
しかし、従来の前記した灯具では、光源近傍の前面カバー中央部領域では光量が多く、光源から離間する周縁部領域では光量が少ない。このため、前面カバーの中央部では明るく発光するが、周縁部では中央部ほど明るく発光せず、どうしても遠方からの視認性が悪いという問題があった。
【０００４】
また、クリアランスランプのように前面カバーが無色透明な灯具では、灯室内が透けて見えて見栄えが悪いという問題もあった。
【０００５】
本発明は前記従来技術の問題点に鑑みなされたもので、その目的は、車両用灯具の点灯時における遠方からの視認性と非点灯時における見栄えの双方を改善することにある。
【０００６】
【課題を解決するための手段】
前記目的を達成するために、請求項１に係る車両用灯具においては、容器状のランプボディと前面カバーで画成された灯室内にリフレクターと光源を配置した車両用灯具において、前記前面カバー内側の前記光源を覆う位置に、前面側または／および裏面側の全域にわたって凹部が形成されて前記凹部を介して入射した光または／および前記凹部で反射した光を前記光源から離れた領域に導く導光作用を営むインナーレンズを配置するように構成した。
【０００７】
（作用）光源の直射光またはリフレクターでの反射光の大半はインナーレンズをほぼ透過直進して前面カバーに導かれるので、前面カバーの光源に正対する領域に比べて光源から離れた前面カバー周縁部領域では発光量が少ない。しかし、インナーレンズの前面側に凹部（例えば、断面くさび型のスリット）を設けた構造では、インナーレンズに入射した光のうち、光源近傍の凹部（例えば、断面くさび型のスリット）から出射しようとする光で、凹部の界面（例えば、断面くさび型スリットの界面）に対し臨界角以上の入射角度となる光は、凹部の界面で反射してインナーレンズ内で全反射を繰り返して光源から離れた領域に導かれる。
また、前面カバーの裏面側に凹部（例えば、断面くさび型のスリット）を設けた構造では、光源近傍の凹部（例えば、断面くさび型のスリット）からインナーレンズに入射しようとする光のうち、凹部の界面（例えば、断面くさび型スリットの界面）に対し臨界角以上の入射角度となる光は、界面で反射した後、凹部内における対向する界面からインナーレンズに入射し、インナーレンズ内で全反射を繰り返して光源から離れた領域に導かれる。即ち、インナーレンズの導光作用によって、光源近傍領域の光の一部が光源から離れた領域に導かれるので、光源近傍の前面カバー中央部と光源から離れた周縁部における発光量の格差が減じる。
【０００８】
また、非点灯時には、インナーレンズに設けたスリットが模様として前面カバーを通して見えるので、前面カバーを通して灯室内がそのまま透けて見える状態が回避される。
【０００９】
請求項２においては、請求項１に記載の車両用灯具において、前記前面カバーおよびインナーレンズが無色透明で、クリアランスランプを構成するようにした。
【００１０】
（作用）点灯時には、インナーレンズの導光作用によって、クリアランスランプの前面カバーの周縁部からの出射光量が増し、それだけ広範囲に配光される。また、非点灯時には、インナーレンズに設けたスリットが模様として無色透明な前面カバーを通して鮮明に見えるので、前面カバーを通して灯室内がそのまま透けて見える状態が確実に回避される。
【００１１】
請求項３においては、請求項１または２に記載の車両用灯具において、前記灯室内に、前記リフレクターと光源によって構成された標識灯用の灯体と、リフレクターと光源とを備えたすれ違いビーム形成用の灯体と、リフレクターと光源とを備えた走行ビーム形成用の灯体とを一体に収容するとともに、前記すれ違いビーム形成用の灯体に対応する一部の領域を除いた前記インナーレンズのほぼ全域に前記凹部を形成するように構成した。
【００１２】
（作用）すれ違いビーム形成用の灯体と走行ビーム形成用の灯体と標識灯用の灯体が灯室内に一体に収容されて、前照灯が構成されている。そして、非点灯時には、前面カバーを通してインナーレンズのほぼ全域に設けた凹部が模様として透けて見えて、灯具全体に意匠上の統一感がでる。
【００１３】
また、標識灯では、インナーレンズの導光作用によって前面カバーの標識灯対応領域の周縁部からの出射光量が増し、それだけ広範囲に配光される。
【００１４】
また、走行ビーム用の前照灯では、インナーレンズの導光作用によって前面カバーの走行ビーム用前照灯対応領域の周縁部からの出射光量が増し、走行ビームの照射エリアが拡大される。
【００１５】
また、すれ違いビーム用の前照灯としては、クリアカットラインをもつ所定の配光パターンであることが不可欠で、すれ違いビーム形成用の灯体の前方に配置したインナーレンズに前記凹部を設けた場合には、グレア光が発生するおそれがあり、好ましくない。そこで、インナーレンズのすれ違いビーム形成用の灯体に対応する領域にスリット非形成部を設けて、グレア光の発生しない適正なすれ違いビームの配光パターンを形成できるようにした。
【００１６】
請求項４においては、請求項１〜３のいずれかに記載の車両用灯具において、前記スリットを上下方向に延びる縦溝で左右方向ほぼ等間隔に設けるように構成した。
【００１７】
（作用）光源近傍領域の光の一部はインナーレンズの左右方向に導かれて、前面カバーの左右方向側縁部からの出射光量が増えて、標識灯としては配光エリアが左右方向広範囲となり、走行ビーム用前照灯としては照射エリアが左右方向側方に拡大される。
【００１８】
【発明の実施の形態】
次に、本発明の実施の形態を実施例に基づいて説明する。
【００１９】
図１〜図５は本発明の一実施例を示すもので、図１は本発明の一実施例である自動車用前照灯の正面図、図２は同前照灯の水平断面図（図１に示す線ＩＩ−ＩＩに沿う断面図）、図３は同前照灯の水平断面図（図１に示す線ＩＩＩ−ＩＩＩに沿う断面図）、図４はインナーレンズの正面図、図５はインナーレンズの導光作用を説明する説明図である。
【００２０】
これらの図において、符号１０は、前方から斜め側方に開口する容器状のランプボディで、ランプボディ１０の前面開口部には、側面側が後方に湾曲する無色透明な光学作用を有する前面カバー１１が組付けられて、前面側から側方に湾曲する灯室が画成されている。灯室内には、ヘッドランプを構成するすれ違いビーム形成用の灯体２０と走行ビーム形成用の灯体３０に加えて、標識灯であるターンシグナルランプ用の灯体４０、クリアランスランプ用の灯体５０およびコーナリングランプ用の灯体６０が一体に収容されている。
【００２１】
図１に示すように、前照灯を正面視して、すれ違いビーム形成用の灯体２０は車両幅方向外側（図１左側）寄りの上隅に、一方、走行ビーム形成用の灯体３０は車両幅方向内側（図１右側）の下隅に設けられている。また、車両幅方向外側の下隅（すれ違いビーム形成用の灯体２０の下方）には、クリアランスランプ用の灯体５０とコーナリングランプ用の灯体６０が設けられ、車両幅方向内側の上隅（走行ビーム形成用の灯体３０の上方）にはターンシグナルランプ用の灯体４０が設けられている。
【００２２】
すれ違いビーム形成用の灯体２０は、図２に示すように、ほぼ楕円体形状のリフレクター２２と、光源である放電バルブ２４と、クリアカットライン形成用シェード２６と、凸レンズ２８とを一体化した構造で、図１に示すように、オートレベリング機構ＡＬを構成する左右一対のエイミング支点ｅ２０，ｅ２１と前後方向に進退動作可能な１個のエイミング点ｅ２２の３点で支持されて、灯体２０の光軸Ｌ２０が路面に対して上下方向に常に一定の傾斜状態となるように保持されている。即ち、灯体２０は、左右一対のエイミング支点ｅ２０，ｅ２１を通る水平傾動軸Ｌｘ２周りに傾動可能に支持されており、車両前後軸の走行路面に対する傾斜は傾斜センサ（図示せず）により常に検出されている。そして、この傾斜センサの検出値が一定となるように、エイミング点ｅ２２を進退動作させるアクチュエータ（図示せず）の駆動が制御されて、灯体２０の光軸Ｌ２０が上下方向に自動的に傾動調整（オートレベリング）される。
【００２３】
一方、走行ビーム形成用の灯体３０は、図３に示すように、アルミ蒸着処理した放物面形状のリフレクター３２と光源であるハロゲンバルブ３４とが一体化された構造で、図１に示すように、水平に配置された左右エイミング点ｅ３１およびエイミング支点ｅ３０と、エイミング支点ｅ３０上方の上下エイミング点ｅ３２で構成したエイミング機構Ｅによって、左右エイミング点ｅ３１とエイミング支点ｅ３０を通る水平傾動軸Ｌｘ３、およびエイミング支点ｅ３０と上下エイミング点ｅ３２を通る垂直傾動軸Ｌｙ３周りに傾動可能に支持されている。そして、左右エイミング点ｅ３１（上下エイミング点ｅ３２）を進退動作させることで、灯体３０の光軸Ｌ３０を左右（上下）方向に傾動調整（エイミング）できる。
【００２４】
また、ターンシグナルランプ用の灯体４０，クリアランスランプ用の灯体５０およびコーナリングランプ用の灯体６０は、いずれもアルミ蒸着処理した放物面形状のリフレクター４２，５２，６２と、リフレクター４２，５２，６２の前方に配置された光源であるバルブ４４，５４，６４で構成されており、いずれのリフレクター４２，５２，６２も、ランプボディ１０の内側に係合することで位置決め固定されたリフレクターユニットＲＵに一体的に形成されている。即ち、バルブ４４，５４，６４は、ランプボディ１０に設けた挿着孔１０ａ，１０ｂ，１０ｃに挿着されて、バルブの発光部であるそれぞれのガラス球がリフレクター４２，５２，６２の後頂部に設けた貫通孔４３，５３，６３を貫通して前方に突出した構造となっている。なお、バルブ５４，６４はクリアランスランプ，コーナリングランプの機能色である白色光を出射する白色バルブ、バルブ６４はターンシグナルランプの機能色であるアンバー色を出射するアンバー色バルブで構成されている。
【００２５】
また、符号２７，３７は、すれ違いビーム形成用の灯体２０，走行ビーム形成用の灯体３０の外周をそれぞれ取り囲むように延在するエクステンションリフレクターで、いずれもリフレクターユニットＲＵに一体的に形成されている。符号２７ａは、エクステンションリフレクター２７に設けられた円形開口部で、この円形開口部２７ａから凸レンズ２８を含むすれ違いビーム形成用の灯体２０の前端部が突出している。また、エクステンションリフレクター２７，３７の表面には、リフレクター４２，５２，６２の表面処理と同様のアルミ蒸着処理が施されており、非点灯時の灯室内のほぼ全域がリフレクター３２，４２，５２，６２と同様の明るい鏡面色に見えて、見栄えが非常によい。
【００２６】
また、前面カバー１１の裏面側には、すれ違いビーム形成用の灯体２０に対応する領域１１Ａを除いた全域に、出射光を左右方向に拡散する曲率の小さなシリンドリカルステップ１１ａが設けられており、走行ビーム形成用の灯体３０では、前面カバー１１から出射された光によって走行ビームとしての適正な配光が形成され、コーナリングランプ用の灯体６０では、前面カバー１１から出射された光によって車両側方を照明するに適正な配光が形成される。また、ターンシグナルランプ用の灯体４０およびクリアランスランプ用の灯体５０では、それぞれの前面カバー１１から左右に拡散された光によってそれぞれの標識灯として適正な配光が形成される。
【００２７】
符号１００は、前面カバー１１の内側に沿って配置された無色透明なインナーレンズで、ランプボディ１０内に収容されたリフレクターユニットＲＵとランプボディ１０の前面開口部に組み付けられた前面カバー１１に前後方向から挟持されることで、ランプボディ１０に対して位置決め固定されている。
【００２８】
インナーレンズ１００の前面側には、すれ違いビーム形成用の灯体２０に対応する領域１００Ａを除いた全域に、凹部である断面くさび型の縦スリット１０２が左右方向等間隔に設けられて、点灯時にはインナーレンズ１００が光源に正対する領域の光の一部を光源から離れた領域に導く導光部材として機能するとともに、非点灯時には左右方向に連続する縦スリット１０２がつくる縦ストライプ模様が前照灯の見栄えを改善するべく作用する。
【００２９】
即ち、クリアランスランプを例にとって説明すると、図５に示すように、クリアランスランプ用の灯体５０（リフレクター５２とバルブ５４）とインナーレンズ１００と前面カバー１１で構成されたクリアランスランプでは、バルブ５４の直射光またはリフレクター５２での反射光の大半は、符号Ｌ５０に示すように、インナーレンズ１００をほぼ透過直進して前面カバー１１に導かれるので、前面カバー１１のバルブ５４に近い中央部領域では光量が多く、バルブ５４から離れる左右方向側縁部領域では光量が少ない。しかし、インナーレンズ１００に入射した光のうち、バルブ５４近傍領域に設けた断面くさび型スリット１０２から出射しようとする光Ｌ１０２は、くさび型スリット面（界面）１０２ａに対し臨界角以上の入射角度となるため、スリット面（界面）１０２ａで反射してインナーレンズ１００内で全反射を繰り返してバルブ５４から離れた左右方向側縁部領域に導かれて、前面カバー１１の中央部領域に比べて光量の少ない左右方向側縁部領域の光量を高めるべく作用し、前面カバー１１の左右方向側縁部までの全体がクリアランスランプの機能色である白色に明るく発光する。
【００３０】
また、非点灯時のクリアランスランプでは、インナーレンズ１００が無色透明で、しかもシリンドリカルステップ１０２ａの曲率が小さいため、インナーレンズ１００を通して灯室内のリフレクター５２やバルブ５４が透けて見えるものの、縦スリット１０２がつくる縦ストライプ模様のついたインナーレンズ１００を通して灯室内が見えるにとどまり、縦ストライプ模様があるためリフレクター５２やバルブ５４がそのまま透けて見えず、それだけ非点灯時のクリアランスランプの見栄えが良好となっている。
【００３１】
また、ターンシグナルランプ用の灯体４０（リフレクター４２とバルブ４４）とインナーレンズ１００と前面カバー１１で構成されたターンシグナルランプにおいても、点灯時には断面くさび型縦スリット１０２を設けたインナーレンズ１００の導光作用により、前面カバー１１のターンシグナルランプ対応領域全体が周縁部まで明るく発光するとともに、非点灯時にはインナーレンズ１００の縦ストライプ模様によって、ターンシグナルランプの見栄えが良好となる点については、前記したクリアランスランプの場合と同様である。
【００３２】
また、コーナリングランプ用の灯体６０（リフレクター６２とバルブ６４）とインナーレンズ１００と前面カバー１１で構成されたコーナリングランプでは、点灯時には断面くさび型縦スリット１０２を設けたインナーレンズ１００の導光作用により、前面カバー１１のコーナリングランプ対応領域における左右の側縁部からの出射光量が増えて、左右方向への配光量が増える分、車両側方への照射エリアが左右方向に拡大されてドライバーからの車両側方の視認性が向上する。また、非点灯時における見栄えについては、前記したクリアランスランプやターンシグナルランプと同様、縦ストライプ模様によって灯室内がそのまま透けて見えない分、見栄えが良好となる。
【００３３】
また、走行ビーム形成用の灯体３０（リフレクター３２とバルブ３４）とインナーレンズ１００と前面カバー１１で構成された走行ビーム用ヘッドランプにおいても、点灯時には断面くさび型縦スリット１０２を設けたインナーレンズ１００の導光作用により、前面カバー１１における走行ビーム用の灯体３０に対応する領域の左右の側縁部からの出射光量が増えて、左右方向への配光量が増える分、走行ビームの照射エリアが左右方向に拡大されてドライバーからの車両前方の視認性が向上する。また、非点灯時にはインナーレンズ１００の縦ストライプ模様によって、走行ビーム用ヘッドランプの見栄えが良好となる点については、前記したクリアランスランプ等の場合と同様である。
【００３４】
なお、インナーレンズ１００のすれ違いビーム用の灯体２０に対応する領域１００Ａに縦スリット１０２を設けた場合には、インナーレンズ１００の導光作用によって、クリアカットラインより上方に向かう予期せぬグレア光が発生するおそれがあるので、インナーレンズ１００のすれ違いビーム用の灯体２０に対応する領域１００Ａには、縦スリット１０２が全く設けられていない、即ち、縦スリット１０２を形成しない非スリット形成部が設けられている。また、すれ違いビーム用の灯体２０が略楕円体形状のリフレクター２２と凸レンズ２８を備えた投射式灯体構造として構成されているが、すれ違いビーム用の灯体が配光形成用の自由曲面リフレクターまたはステップリフレクターを備えた反射式灯体構造の場合も、すれ違いビーム用の灯体に対応する領域に縦スリットを設けないことは同様である。
【００３５】
また、本実施例に係る前照灯では、インナーレンズ１００のすれ違いビーム用ヘッドランプ対応領域を除いた全域にわたって縦スリット１０２が左右方向等間隔に設けられているため、前照灯の非点灯時にはインナーレンズ１００の縦ストライプ模様によって灯室内がそのまま透けて見えることがなく、むしろ前面カバー１１のほぼ全域に現れる縦ストライプ模様によって灯具全体に統一された一体感が生じて、見栄えが良好となっている。
【００３６】
また、前記した実施例では、インナーレンズ１００の前面に断面くさび型の縦スリット１０２を設けた構造であるが、インナーレンズ１００の裏面に、あるいは前面および裏面の双方に設けてもよい。
【００３７】
図６は、インナーレンズ１００の裏面に凹部である断面くさび型の縦スリット１０２を設けた構造で、バルブ５４の近傍に設けた断面くさび型スリット１０２からインナーレンズ１００に入射しようとする光は、断面くさび型スリットの界面１０２ｂ，１０２ｃに対し臨界角以上の入射角度となるため、一方の界面１０２ｂ（１０２ｃ）で反射した後、対向する界面１０２ｂ（１０２ｃ）からインナーレンズ１００に入射し、インナーレンズ１００内で全反射を繰り返して光源から離れた領域に導かれる。
【００３８】
また、前記した実施例では、インナーレンズ１００の前面または／および裏面に断面くさび型の縦スリット１０２を設けた構造であるが、図７（ａ），（ｂ）に示すように、断面半円型の縦スリット１０４や断面五角形型の縦スリット１０６等、光源光に対し界面が臨界角以上となるスリットであればよい。
【００３９】
また、前記した実施例では、インナーレンズ１００に断面くさび型や断面半円型や断面五角形型の縦スリット１０２，１０４，１０６を左右方向に並設しているが、断面くさび型や断面半円型や断面五角形型の横スリットを上下方向に並設したり、断面くさび型や断面半円型や断面五角形型の縦横のスリットを碁盤目状に設けたり、断面くさび型や断面半円型や断面五角形型の円形スリットを同心円状に設けてもよい。
【００４０】
【発明の効果】
以上の説明から明らかなように、請求項１に係わる車両用灯具によれば、インナーレンズの導光作用によって前面カバーの中央部と周縁部における発光量の格差が減じ、前面カバーの周縁部までが明るく発光するので、点灯時における灯具の遠方からの視認性が向上する。
【００４１】
また、インナーレンズに設けた凹部がつくる模様によって灯室内がそのまま透けて見える状態が回避されるので、非点灯時における見栄えが向上する。
【００４２】
請求項２によれば、点灯時には、配光の範囲が拡大されるので、それだけ遠方からのクリアランスランプの視認性が向上する。また、インナーレンズに設けた凹部がつくる模様によって灯室内がそのまま透けて見える状態が確実に回避されるので、非点灯時におけるクリアランスランプの見栄えが向上する。
【００４３】
また、クリアランスランプは、スモールランプスイッチＯＮにより点灯し、夜間に限らず夕方や明け方など薄暗い状況下において必ず使用される、標識灯の中では最も使用頻度が高い灯具で、また非点灯時には無色透明の前面カバーを介して灯室内が透けて見えることからも、本発明を適用することで、点灯時の視認性および非点灯時の見栄えの向上という効果を最も顕著に期待できる灯具（標識灯）であるといえる。
【００４４】
請求項３によれば、前照灯として適正な配光が得られるとともに、標識灯として遠方からの視認性に優れ、また非点灯時には、標識灯を内蔵する前照灯の前面カバーほぼ全体に現れる凹部模様によって灯具全体に統一感が生じ、それだけ見栄えが向上する。
【００４５】
請求項４によれば、前面カバーの左右方向側縁部からの出射光量が増えるため、標識灯としては遠方広範囲からの視認性が向上し、走行ビーム用前照灯としては照射エリアが側方に拡大されて車両前方の視認性が向上する。
【図面の簡単な説明】
【図１】本発明の一実施例である自動車用前照灯の正面図である。
【図２】同前照灯の水平断面図（図１に示す線ＩＩ−ＩＩに沿う断面図）である。
【図３】同前照灯の水平断面図（図１に示す線ＩＩＩ−ＩＩＩに沿う断面図）である。
【図４】インナーレンズの正面図である。
【図５】インナーレンズの導光作用を説明する説明図である。
【図６】本発明の他の実施例である自動車用前照灯の要部であるクリアランスランプにおけるインナーレンズの導光作用を説明する説明図である。
【図７】（ａ），（ｂ）
本発明のさらに他の実施例である自動車用前照灯の要部であるクリアランスランプにおけるインナーレンズの部分拡大断面図である。
【符号の説明】
１０　ランプボディ
１１　前面カバー
１１ａ　シリンドリカルステップ
２０　すれ違いビーム形成用の灯体
２２、３２、４２、５２、６２　リフレクター
２４、３４、４４、５４、６４　光源であるバルブ
３０　走行ビーム形成用の灯体
４０　ターンシグナルランプ用の灯体
５０　クリアランスランプ用の灯体
６０　コーナリングランプ用の灯体
１００　インナーレンズ
１０２　凹部である断面くさび型の縦スリット
１０４　凹部である断面半円型の縦スリット
１０６　凹部である断面五角形型の縦スリット
【図１】
2004071351.tif 000003
【図２】
2004071351.tif 000004
【図３】
2004071351.tif 000005
【図４】
2004071351.tif 000006
【図５】
2004071351.tif 000007
【図６】
2004071351.tif 000008
【図７】
2004071351.tif 000009